【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
プレポリマーの共重合体鎖内に、
（１）１種以上のシロキサン含有ビニルモノマー及び／又は１種以上のシロキサン含有マクロマーから誘導されたシロキサン単位と；
（２）１種以上の第一の親水性ビニルモノマー及び／又は１種以上の親水性マクロマーから誘導された親水性単位と；
（３）潜在的なＵＶ活性化フリーラジカル生成部分を有する鎖延長単位と；
（４）エチレン性不飽和基と、を含む化学線架橋性プレポリマーであって、前記プレポリマーが、１種以上の第二の親水性ビニルモノマーの存在下で化学線架橋して、それぞれが１種以上の第二の親水性ビニルモノマーから形成されていて、潜在的なＵＶ活性化フリーラジカル生成部分の一部をとおしてシリコーンハイドロゲル材料のポリマーマトリックスに共有結合しているダングリング親水性ポリマー鎖を含むシリコーンハイドロゲル材料を形成することができる、化学線架橋性プレポリマー。
【請求項２】
前記プレポリマーが、エチレン性不飽和基を第一のペンダント官能基に共有結合させることにより、第一のペンダント官能基を有する中間共重合体から得られ、前記中間共重合体が、
（１）エチレン性不飽和基を１個有する少なくとも１種のシロキサン含有モノマー、エチレン性不飽和基を１個有する少なくとも１種のシロキサン含有マクロマー、エチレン性不飽和基を２個以上有する少なくとも１種のシロキサン含有モノマー、エチレン性不飽和基を２個以上有する少なくとも１種のシロキサン含有マクロマー、又はそれらの２種以上の組合わせと；
（２）少なくとも１種の親水性ビニルモノマーと；
（３）式（II）又は（III）：
【化１４】
2012508902.tif 000001
［式中、
Ｒは、Ｈ、Ｃ１−Ｃ１２アルキル、Ｃ１−Ｃ１２アルコキシ、Ｃ１−Ｃ１２アルキル−ＮＨ−又は−ＮＲ３Ｒ４（ここで、互いに独立したＲ３及びＲ４は、Ｃ１−Ｃ８アルキルである）であり；
互いに独立したＲ１及びＲ２は、水素、Ｃ１−Ｃ８アルキル、Ｃ１−Ｃ８シクロアルキル、もしくはＣ１−Ｃ８アリールであるか、又はＲ１とＲ２は、一緒になって、−（ＣＨ２）ｎ−（ここで、ｎは、２〜６の整数である）となっており；
Ｘは、
【化１５】
2012508902.tif 000002
（ここで、Ｒ５は、Ｈ又はＣ１−Ｃ８アルキルである）からなる群から選択される連結基であり；
Ｙは、二価−ＮＲ５−又は−Ｏ−であり；
Ｌは、Ｃ１−Ｃ１２アルキレン基、Ｃ１−Ｃ１２置換アルキレン基、Ｃ１−Ｃ１２シクロアルキレン基、及びＣ８−Ｃ１６アリールアルキレン基からなる群から選択される二価基であり；そして
Ｒ６は、Ｈ又はＣＨ３である］で示される少なくとも１種のビニルモノマーと、
（４）熱開始剤と、を含む組成物の熱共重合により得られるが、但し、重合性成分の少なくとも１種が、第一の官能基を含むことを条件とする、請求項１記載のプレポリマー。
【請求項３】
式（II）又は（III）で示される少なくとも１種の前記ビニルモノマーが、式（IV）、（Ｖ）又は（VI）：
【化６】
2012508902.tif 000003
（式中、Ｒ６は、Ｈ又はＣＨ３である）により示される、請求項２記載のプレポリマー。
【請求項４】
前記中間共重合体が、１種以上のシロキサン含有モノマー及び／又は１種以上のシロキサン含有マクロマーから誘導されたシロキサン単位を約１５重量％〜約７０重量％；１種以上の親水性モノマー及び／又は１種以上の親水性マクロマーから誘導された親水性単位を約１０重量％〜約６０重量％；ならびに式（II）又は（III）で示される少なくとも１種のビニルモノマーを約１重量％〜約１５重量％を含む、請求項２又は３記載のプレポリマー。
【請求項５】
前記シロキサン含有ビニルモノマー又はマクロマーが、式（VII）：
【化１６】
2012508902.tif 000004
［式中、
Ｘ１は、−ＣＯＯ−、−ＣＯＮＲ１８−、−ＯＣＯＯ−、又は−ＯＣＯＮＲ１８−（ここで、各Ｒ１８は、独立して、Ｈ又はＣ１−Ｃ７アルキルである）を表し；
Ｒ１１は、二価Ｃ１−Ｃ２５アルキレン又はＣ６−Ｃ３０アリールアルキレン基を表し、−Ｏ−、−ＣＯＯ−、−ＣＯＮＲ１８−、−ＯＣＯＯ−、又は−ＯＣＯＮＲ１８−により中断されていてもよく、そしてヒドロキシ基、第一級、第二級もしくは第三級アミン基、カルボキシ基、又はカルボン酸基を含んでいてもよく；
Ｒ１２は、一価Ｃ１−Ｃ２５アルキル又はＣ６−Ｃ３０アリール基であり、−Ｏ−、−ＣＯＯ−、−ＣＯＮＲ１４−、−ＯＣＯＯ−、又は−ＯＣＯＮＲ１４−により中断されていてもよく、そしてヒドロキシ基、第一級、第二級もしくは第三級アミン基、カルボキシ基、又はカルボン酸基を含んでいてもよく；
Ｒ７、Ｒ８、Ｒ９、Ｒ１０、Ｒ１４、Ｒ１５、Ｒ１６、及びＲ１７は、互いに独立して、Ｃ１−Ｃ８アルキル、Ｃ１−Ｃ４アルキル置換もしくはＣ１−Ｃ４アルコキシ置換のフェニル、フルオロ（Ｃ１−Ｃ１８アルキル）、シアノ（Ｃ１−Ｃ１２アルキル）、ヒドロキシ−Ｃ１−Ｃ６アルキル又はアミノ−Ｃ１−Ｃ６アルキルであり；
ｍ及びｐは、互いに独立して、５〜７００の整数であり、そして（ｍ＋ｐ）は、５〜７００である］である、請求項１〜４のいずれか一項記載のプレポリマー。
【請求項６】
前記シロキサン含有ビニルモノマーが、３−メタクリルオキシプロピルペンタメチルジシロキサン、ビス（メタクリルオキシプロピル）テトラメチルジシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリラート（ＴＲＩＳ）、Ｎ−［トリス（トリメチルシロキシ）シリルプロピル］メタクリルアミド（ＴＳＭＡＡ）、Ｎ−［トリス（トリメチルシロキシ）シリルプロピル］アクリルアミド（ＴＳＡＡ）、（３−メタクリルオキシ−２−ヒドロキシプロピルオキシ）プロピルビス（トリメチルシロキシ）メチルシラン、（３−メタクリルオキシ−２−ヒドロキシプロピルオキシ）プロピルトリス（トリメチルシロキシ）シラン、３−メタクリルオキシ−２−（２−ヒドロキシエトキシ）プロピルオキシ）プロピルビス（トリメチルシロキシ）メチルシラン、Ｎ−２−メタクリルオキシエチル−Ｏ−（メチル−ビス−トリメチルシロキシ−３−プロピル）シリルカルバマート、１，３−ビス［４−ビニルオキシカルボニルオキシ）ブタ−１−イル］テトラメチル−ジシロキサン、３−（トリメチルシリル）プロピルビニルカルボナート、３−（ビニルオキシカルボニルチオ）プロピル−［トリス（トリメチルシロキシ）シラン］、３−［トリス（トリメチルシロキシ）シリル］プロピルビニルカルバマート、３−［トリス（トリメチルシロキシ）シリル］プロピルアリルカルバマート、３−［トリス（トリメチルシロキシ）シリル］プロピルビニルカルボナート、ｔ−ブチルジメチルシロキシエチルビニルカルボナート、トリメチルシリルエチルビニルカルボナート、トリメチルシリルメチルビニルカルボナート、又はそれらの混合物から選択される、請求項１〜５のいずれか一項記載のプレポリマー。
【請求項７】
前記親水性ビニルモノマーが、Ｎ，Ｎ−ジメチルアクリルアミド（ＤＭＡ）、２−ヒドロキシエチルメタクリラート（ＨＥＭＡ）、２−ヒドロキシエチルアクリラート（ＨＥＡ）、ヒドロキシプロピルアクリラート、ヒドロキシプロピルメタクリラート（ＨＰＭＡ）、トリメチルアンモニウム２−ヒドロキシプロピルメタクリラート塩酸塩、アミノプロピルメタクリラート塩酸塩、ジメチルアミノエチルメタクリラート（ＤＭＡＥＭＡ）、グリセロールメタクリラート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル)アクリルアミド、アクリル酸、２００〜１５００の重量平均分子量を有するＣ１−Ｃ４アルコキシポリエチレングリコール（メタ）アクリラート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、及びＮ−ビニルカプロラクタムから選択される、請求項１〜６のいずれか一項記載のプレポリマー。
【請求項８】
前記組成物が、７００ダルトン未満の分子量を有するシリコーン不含有架橋剤、シリコーン含有ビニルモノマー、疎水性ビニルモノマー、及び他の官能基とカップリング反応を受けうる官能基を有する連鎖移動剤からなる群から選択される重合性成分１種以上を更に含む、請求項２〜７のいずれか一項記載のプレポリマー。
【請求項９】
前記中間共重合体の前記第一の官能基が、アミン、ヒドロキシル、カルボキシル、イソシアナート、又はエポキシ基であり、前記中間共重合体のエチレン性官能化が、カップリング剤の非存在下又は存在下で、前記中間共重合体の前記第一の官能基と共反応性のあるヒドロキシ、アミノ、カルボキシル、エポキシ、酸クロリド、イソシアナート基を有するビニルモノマーを反応させることにより実施される、請求項２〜６のいずれか一項記載のプレポリマー。
【請求項１０】
レンズ形成材料を型内でＵＶ硬化させることにより得られるシリコーンハイドロゲル材料を含むソフトコンタクトレンズであって、前記レンズ形成材料が、請求項１〜９のいずれか一項記載の化学線架橋性プレポリマー及び少なくとも１種の第二の親水性ビニルモノマーを含み、前記シリコーンハイドロゲル材料が、それぞれが前記第二の親水性ビニルモノマーから形成されていて、潜在的なＵＶ活性化フリーラジカル生成部分の一部をとおして前記シリコーンハイドロゲル材料のポリマーマトリックスに共有結合しているダングリング親水性ポリマー鎖を含み、前記形成されたソフトコンタクトレンズが、硬化後表面処理を行わなくとも親水性表面を有する、ソフトコンタクトレンズ。
【請求項１１】
前記第二の親水性ビニルモノマーが、Ｎ，Ｎ−ジメチルアクリルアミド（ＤＭＡ）、２−ヒドロキシエチルメタクリラート（ＨＥＭＡ）、２−ヒドロキシエチルアクリラート（ＨＥＡ）、ヒドロキシプロピルアクリラート、ヒドロキシプロピルメタクリラート（ＨＰＭＡ）、トリメチルアンモニウム２−ヒドロキシプロピルメタクリラート塩酸塩、アミノプロピルメタクリラート塩酸塩、ジメチルアミノエチルメタクリラート（ＤＭＡＥＭＡ）、グリセロールメタクリラート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル)アクリルアミド、アクリル酸、２００〜１５００の重量平均分子量を有するＣ１−Ｃ４アルコキシポリエチレングリコール（メタ）アクリラート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、及びＮ−ビニルカプロラクタムから選択される、請求項１０記載のソフトコンタクトレンズ。
【請求項１２】
前記レンズ形成材料が、光開始剤、可視性着色剤、ＵＶ遮断（吸収）剤、光増感剤、抗菌剤、生物活性剤、浸出性の滑剤、及びそれらの組合せからなる群から選択される成分の少なくとも１つを更に含む、請求項１１記載のソフトコンタクトレンズ。
【請求項１３】
前記ソフトコンタクトレンズが、好ましくは少なくとも約３５バレルの酸素透過度、約０．２MPa〜約２．０MPaの弾性係数、少なくとも約１．５×１０−６mm２/分のイオノフラックス拡散係数Ｄ、及び好ましくは約１５重量％〜約６０重量％の水分量からなる群から選択される特性を少なくとも１つ有する、請求項１０〜１２のいずれか一項記載のソフトコンタクトレンズ。
【請求項１４】
前記ソフトコンタクトレンズが、約１００°以下の平均水接触角を有することを特徴とする表面親水性を有する、請求項１３記載のソフトコンタクトレンズ。
【請求項１５】
式（II）又は（III）：
【化１７】
2012508902.tif 000005
［式中、
Ｒは、Ｈ、Ｃ１−Ｃ１２アルキル、Ｃ１−Ｃ１２アルコキシ、Ｃ１−Ｃ１２アルキル−ＮＨ−又は−ＮＲ３Ｒ４（ここで、互いに独立したＲ３及びＲ４は、Ｃ１−Ｃ８アルキルである）であり；
互いに独立したＲ１及びＲ２は、水素、Ｃ１−Ｃ８アルキル、Ｃ１−Ｃ８シクロアルキル、もしくはＣ１−Ｃ８アリールであるか、又はＲ１とＲ２は、一緒になって、−（ＣＨ２）ｎ−（ここで、ｎは、２〜６の整数である）となっており；
Ｘは、
【化１８】
2012508902.tif 000006
（ここで、Ｒ５は、Ｈ又はＣ１−Ｃ８アルキルである）からなる群から選択される連結基であり；
Ｙは、二価−ＮＲ５−又は−Ｏ−であり；
Ｌは、Ｃ１−Ｃ１２アルキレン基、Ｃ１−Ｃ１２置換アルキレン基、Ｃ１−Ｃ１２シクロアルキレン基、及びＣ８−Ｃ１６アリールアルキレン基からなる群から選択される二価基であり；そして
Ｒ６は、Ｈ又はＣＨ３である］で示される構造式を有するビニルモノマー。